(57)【要約】【課題】  消音演奏モード時に、通常演奏モード時と変わらない鍵のタッチ感が得られるとともに、ジャックの離脱時におけるハンマーヘッドと弦との距離を拡大し、それにより、止音を余裕を持って確実に行うことができるグランド型ピアノを提供する。【解決手段】  鍵１４の押鍵に伴い、ハンマー５を突き上げ、回動させるジャック１０と、ハンマーシャンク５ａを回動自在に支持するハンマーシャンクフレンジ１と、消音演奏モード時にハンマーシャンク５ａが当接することによって、ハンマーヘッド５ｂによる打弦を阻止する止音レール１５と、消音演奏モード時に、離鍵状態におけるハンマーヘッド５ｂの高さが通常演奏モード時よりも低くなるような所定の方向に、ハンマーシャンクフレンジ１を移動させる駆動装置３０と、を備えている。【選択図】  図２
2009237152.tif 000002
【特許請求の範囲】
【請求項１】
前後方向に張られた弦の打弦を許容する通常演奏モードと、前記弦の打弦を阻止する消音演奏モードに切り替えて演奏されるグランド型ピアノであって、
移動自在のハンマーシャンクフレンジと、
前後方向に延びるハンマーシャンクの後端部にハンマーヘッドを有し、前部の下面にシャンクローラを有するとともに、前記ハンマーシャンクの前端部において前記ハンマーシャンクフレンジに回動自在に支持されたハンマーと、
後ろ下がりに傾斜した状態で前後方向に延び、前記シャンクローラを介して前記ハンマーシャンクを載置するレペティションレバーと、
鍵の押鍵に伴い、前記シャンクローラを介して、前記ハンマーを突き上げ、回動させるとともに、その回動の途中で前記ハンマーから離脱するジャックと、
前記弦と前記ハンマーシャンクの間に進退自在に設けられ、前記消音演奏モード時に前記ハンマーシャンクが当接することによって、前記ハンマーヘッドによる打弦を阻止する止音レールと、
前記消音演奏モード時に、離鍵状態における前記ハンマーヘッドの高さが前記通常演奏モード時よりも低くなるような所定の方向に、前記ハンマーシャンクフレンジを移動させる駆動装置と、
を備えていることを特徴とするグランド型ピアノ。
【請求項２】
前記所定の方向が、斜め上方かつ後方であることを特徴とする請求項１に記載のグランド型ピアノ。
【請求項３】
前記駆動装置は、
斜め後ろ上がりに傾斜するスライド面を有するガイド部材と、
複数の前記ハンマーシャンクフレンジを左右方向に並んだ状態で保持するとともに、前記スライド面にスライド自在に設けられたレールと、
当該レールを押圧し、前記スライド面に沿って後方にスライドさせる押圧部材とを、有することを特徴とする請求項２に記載のグランド型ピアノ。
【請求項４】
前記駆動装置は、
複数の前記ハンマーシャンクフレンジを左右方向に並んだ状態で保持するレールと、
当該レールを載置した状態で回動自在に支持する固定部材と、
前記レールを回動させる駆動部材と、を有することを特徴とする請求項２に記載のグランド型ピアノ。
【発明の詳細な説明】
【技術分野】
【０００１】
本発明は、弦の打弦を許容する通常演奏モードと、弦の打弦を阻止する消音演奏モードに切り替えて演奏されるグランド型ピアノに関する。
【背景技術】
【０００２】
従来のグランド型ピアノ（以下、単に「ピアノ」という）として、例えば特許文献１に開示されたものが知られている。このピアノは、弦を打弦し、アコースティック音を発生させる通常演奏モードと、打弦を行わず、電子音を発生させる消音演奏モードとに切替え可能に構成されている。このピアノは、水平に張られた弦と、この弦を打弦する回動自在のハンマーと、押鍵に伴い、ハンマーを突き上げ、回動させるとともに、ハンマーの回動の途中でハンマーから離脱するジャックと、ジャックの上側に間隔を隔てて対向するとともに、上下方向に移動自在に設けられたレギュレーティングボタンと、弦とハンマーシャンクの間に進退自在に設けられた止音レールなどを備えている。止音レールは、消音演奏モード時に、弦とハンマーシャンクの間に位置し、回動するハンマーシャンクが当接することにより、ハンマーが弦を打弦する動作を阻止するものである。このように、止音レールによるハンマーの阻止動作は、ハンマーシャンクが止音レールに当接したときの衝撃が演奏者の指先に伝わらないようにするために、ジャックがハンマーから離脱した後に行うことが必要である。
【０００３】
このピアノでは、消音演奏モード時に、レギュレーティングボタンが下方に駆動される。これにより、ジャックがハンマーから離脱するタイミングが早くなることによって、ジャックの離脱時における弦とハンマーヘッドとの間の距離が、通常演奏モード時よりも拡大される。それにより、ジャックが離脱してからハンマーヘッドが弦を打弦するまでのハンマーシャンクのストロークが大きくなるため、そのストロークの間で止音レールによる止音を確実に行える。
【０００４】
しかし、この従来のピアノでは、消音演奏モード時には、レギュレーティングボタンが下方に駆動され、ジャックがハンマーから離脱するタイミングが早くなるため、レットオフが早くなり、タッチ重さも大きく減少することによって、通常演奏モード時と大きく異なるタッチ感が得られ、違和感が生じてしまう。
【０００５】
本発明は、消音演奏モード時に、通常演奏モード時と変わらない鍵のタッチ感が得られるとともに、ジャックの離脱時におけるハンマーヘッドと弦との距離を拡大し、それにより、止音を余裕を持って確実に行うことができるグランド型ピアノを提供することを目的とする。
【０００６】
【特許文献１】特許第３４５６２１６号公報
【発明の開示】
【課題を解決するための手段】
【０００７】
この目的を達成するために、請求項１に係る発明は、前後方向に張られた弦の打弦を許容する通常演奏モードと、弦の打弦を阻止する消音演奏モードに切り替えて演奏されるグランド型ピアノであって、移動自在のハンマーシャンクフレンジと、前後方向に延びるハンマーシャンクの後端部にハンマーヘッドを有し、前部の下面にシャンクローラを有するとともに、ハンマーシャンクの前端部においてハンマーシャンクフレンジに回動自在に支持されたハンマーと、後ろ下がりに傾斜した状態で前後方向に延び、シャンクローラを介してハンマーシャンクを載置するレペティションレバーと、鍵の押鍵に伴い、シャンクローラを介して、ハンマーを突き上げ、回動させるとともに、その回動の途中でハンマーから離脱するジャックと、弦とハンマーシャンクの間に進退自在に設けられ、消音演奏モード時にハンマーシャンクが当接することによって、ハンマーヘッドによる打弦を阻止する止音レールと、消音演奏モード時に、離鍵状態におけるハンマーヘッドの高さが通常演奏モード時よりも低くなるような所定の方向に、ハンマーシャンクフレンジを移動させる駆動装置と、を備えていることを特徴とする。
【０００８】
この構成によれば、ハンマーは、前後方向に延びるハンマーシャンクを有し、ハンマーシャンクの後端部にはハンマーヘッドが設けられ、前部の下面にはシャンクローラが設けられている。ハンマーシャンクは、その前端部において、ハンマーシャンクフレンジに回動自在に支持されるとともに、シャンクローラを介してレペティションレバーに載置されており、離鍵状態では、後ろ下がりに傾斜した状態になっている。レペティションレバーは、後ろ下がりに傾斜した状態で前後方向に延びている。
【０００９】
この状態から、鍵が押鍵されると、それに伴い、ジャックが上方に回動し、シャンクローラを介してハンマーを突き上げ、回動させる。このハンマーの回動の途中で、ジャックはハンマーから離脱し、その後、ハンマーは慣性で回動する。通常演奏モード時には、止音レールが退避していて、ハンマーシャンクが止音レールに当接しないことで、ハンマーの回動が許容され、ハンマーヘッドで弦を打弦する。それにより、アコースティックな通常演奏が行われる。一方、消音演奏モード時には、弦とハンマーシャンクの間に止音レールが進入していることで、ジャックの離脱後に、ハンマーシャンクが止音レールに当接する。それにより、ハンマーが停止されることで、ハンマーヘッドによる打弦が阻止される。
【００１０】
本発明によれば、ハンマーシャンクを支持するハンマーシャンクフレンジが移動自在に構成されている。ハンマーシャンクフレンジを前後方向および／または上下方向に移動させると、ハンマーシャンクの回動中心の位置が変わるとともに、レペティションレバーとのシャンクローラの当接位置が変わることによって、両位置の位置関係が変化する。それに伴い、ハンマーシャンクの傾斜角度が変化し、それに応じて、ハンマーシャンクの後端部に設けられているハンマーヘッドの高さも変化する。このような観点から、本発明では、消音演奏モード時に、駆動装置によって、ハンマーシャンクフレンジを所定の方向に移動させることによって、通常演奏モード時よりも、離鍵状態におけるハンマーシャンクの傾斜角度を大きくし、ハンマーヘッドの高さを低くする。
【００１１】
以上のように、離鍵状態におけるハンマーヘッドの高さ、すなわち、押鍵に伴って回動するハンマーヘッドの初期位置の高さが低くなるので、ジャックの離脱時におけるハンマーヘッドと弦との距離が拡大する。したがって、ジャックが離脱してからハンマーヘッドが弦を打弦するまでのハンマーシャンクのストロークが大きくなるため、止音レールによる止音を、余裕をもって確実に行うことができる。また、上記のようにハンマーシャンクフレンジを移動させても、ジャックとシャンクローラなどとの位置関係はほとんど変わらないので、ジャックがハンマーから離脱するタイミングは、通常演奏モード時とほぼ同じであり、したがって、通常演奏モード時とほとんど変わらない鍵のタッチ感を得ることができる。
【００１２】
請求項２に係る発明は、請求項１に記載のグランド型ピアノにおいて、所定の方向が、斜め上方かつ後方であることを特徴とする。
【００１３】
この構成によれば、消音演奏モード時に、ハンマーシャンクフレンジは、斜め上方かつ後方に駆動される。ハンマーシャンクフレンジを上方に移動させた場合には、それと同じ移動量でハンマーシャンクの回動中心が上方に移動するのに対し、シャンクローラの位置は、後ろ下がりに傾斜したレペティションレバーに沿って上方かつ前方に斜めに移動する。このため、ハンマーシャンクの傾斜角度は、移動前よりも大きくなる。また、ハンマーシャンクフレンジを後方に移動した場合には、それと同じ移動量でハンマーシャンクの回動中心が後方に移動するのに対し、シャンクローラの位置は、後ろ下がりに傾斜した状態のレペティションレバーに沿って下方かつ後方に斜めに移動する。このため、この場合にも、ハンマーシャンクの傾斜角度は、移動前よりも大きくなる。本発明によれば、ハンマーシャンクフレンジを斜め上方かつ後方に移動させるので、上述したハンマーシャンクフレンジを上方に移動させたときのハンマーシャンクの傾斜角度の増大作用と、ハンマーシャンクフレンジを後方に移動させたときのハンマーシャンクの傾斜角度の増大作用が、同時に複合的に得られる。したがって、ハンマーシャンクフレンジの小さな移動量で、ハンマーヘッドをより低くすることができ、前述した請求項１の作用を効果的に得ることができる。
【００１４】
請求項３に係る発明は、請求項２に記載のグランド型ピアノにおいて、駆動装置は、斜め後ろ上がりに傾斜するスライド面を有するガイド部材と、複数のハンマーシャンクフレンジを左右方向に並んだ状態で保持するとともに、スライド面にスライド自在に設けられたレールと、レールを押圧し、スライド面に沿って後方にスライドさせる押圧部材とを、有することを特徴とする。
【００１５】
この構成によれば、複数のハンマーシャンクフレンジが、駆動装置のレールに保持されており、このレールは、ガイド部材の斜め後ろ下がりに傾斜するスライド面にスライド自在に設けられている。消音演奏モード時には、押圧部材でレールを押圧し、スライド面に沿って後方にスライドさせることによって、レール、および、これに保持された複数のハンマーシャンクフレンジを上方かつ後方に斜めに移動させることができる。これにより、請求項２の作用を得ることができる。また、レールを移動させるだけで、複数のハンマーシャンクフレンジを一度に移動させることができるので、複数のハンマーシャンクフレンジの移動を、ばらつきなく効果的に行えるとともに、駆動装置を単純化することができる。
【００１６】
請求項４に係る発明は、請求項２に記載のグランド型ピアノにおいて、駆動装置は、複数のハンマーシャンクフレンジを左右方向に並んだ状態で保持するレールと、レールを載置した状態で回動自在に支持する固定部材と、レールを回動させる駆動部材とを、有することを特徴とする。
【００１７】
この構成によれば、複数のハンマーシャンクフレンジが、駆動装置のレールに保持されており、レールは、固定部材に回動自在に設けられている。消音演奏モード時には、駆動部材でレールを回動させることによって、レール、および、これに保持された複数のハンマーシャンクフレンジを上方かつ後方に斜めに移動させることができる。これにより、請求項２の作用を得ることができる。また、レールを回動させるだけで、複数のハンマーシャンクフレンジを一度に移動させることができるので、複数のハンマーシャンクフレンジの移動を、ばらつきなく効果的に行えるとともに、駆動装置を単純化することができる。
【発明を実施するための最良の形態】
【００１８】
以下、図面を参照しながら、本発明の好ましい実施形態を詳細に説明する。図１および図２は、本発明の第１実施形態によるピアノ２０の鍵盤装置を、それぞれ離鍵状態および押鍵状態において示している。これらの図に示すように、このピアノ２０は、複数の鍵１４（１つのみ図示）と、鍵１４ごとに設けられ、弦Ｓを打弦するハンマー５と、鍵１４の後部の上側に設けられたアクション７と、ハンマー５を支持するハンマーシャンクフレンジ１と、止音レール１５などを備えている。
【００１９】
このピアノ２０は、ハンマー５による弦Ｓの打弦により、アコースティックな演奏音を発生させる通常演奏モードと、ハンマー５による打弦を阻止し、電子的な演奏音を発生させる消音演奏モードに、切り替えて演奏されるように構成されている。以下、ピアノ２０を演奏者から見た場合の手前側（同図の右側）を「前」、奥側（同図の左側）を「後」として説明を行うものとする。
【００２０】
鍵１４は、その中央に形成されたバランス孔（図示省略）を介して、バランスピン（図示省略）に回動自在に支持されている。弦Ｓは、フレーム（図示省略）に張られており、その一端部が弦Ｓの張力を調整するチューニングピン（図示省略）に取り付けられ、前後方向に水平に延びている。
【００２１】
ハンマー５は、前後方向に延びるハンマーシャンク５ａと、ハンマーシャンク５ａの後端部に取り付けられたハンマーヘッド５ｂと、ハンマーシャンク５ａの前部の下面に取り付けられたシャンクローラ５ｃなどで構成されている。シャンクローラ５ｃは、例えば、内側のクロスとその外側に巻いたスキンから円柱状に形成されており、ハンマーシャンク５ａに固定されている。
【００２２】
ハンマーシャンクフレンジ１は、左右方向に延びる水平なセンターピン１１を介して、ハンマーシャンク５ａの前端部を支持しており、それにより、ハンマー５は、センターピン１１を中心として回動自在である。ハンマーシャンクフレンジ１の後端部には、下方に突出するドロップスクリュー１２が設けられいる。
【００２３】
これらのハンマーシャンクフレンジ１は、左右方向に並んだ状態で、シャンクレール２の上面に固定されて保持されている。また、シャンクレール２は、ガイドレール３の上面にスライド自在に設けられている。ガイドレール３には、レギュレーティングボタン４が下方に突出するように設けられている。このガイドレール３は、左右方向に延びており、筬（図示省略）に設けられた複数のブラケット６（１つのみ図示）に取り付けられている。
【００２４】
アクション７は、ウィッペン２１と、ウィッペン２１に取り付けられたレペティションレバー８およびジャック１０とを備えている。ウィッペン２１は、その後端部において、ウィッペンレール２４に固定されたウィッペンフレンジ２２に回動自在に支持されており、鍵１４の後部にキャプスタンスクリュー２３を介して載置されている。
【００２５】
レペティションレバー８は、前後方向に延びており、その中央部でウィッペン２１に回動自在に取り付けられている。レペティションレバー８は、レペティションスプリング１６によって、図１の反時計方向に付勢されており、それにより、後ろ下がりに傾斜した状態に保たれている。レペティションレバー８の前部には、上下方向に貫通するジャック案内孔９が形成されており、このジャック案内孔９の一部を塞いだ状態でシャンクローラ５ｃが載置されている。レペティションレバー８の上面の前端部には、レバースキン１３が設けられており、このレバースキン１３は、ハンマーシャンクフレンジ１に設けられたドロップスクリュー１２に、上下方向に所定間隔を隔てた状態で対向している。
【００２６】
ジャック１０は、「Ｌ」字状に形成されており、上下方向に延びる突き上げ部１０ａと、その下端部の角部から前方に延びる当接部１０ｂで構成されている。ジャック１０は、その角部を介して、ウィッペン２１に回動自在に取り付けられている。ジャック１０の突き上げ部１０ａの上端部は、上述したジャック案内孔９に挿入され、シャンクローラ５ｃとわずかな間隔を隔てた状態で対向している。また、ジャック１０の当接部１０ｂは、レギュレーティングボタン４と所定間隔を隔てて下方から対向している。
【００２７】
止音レール１５は、弦Ｓとハンマーシャンク５ａの間に配置され、左右方向に延びており、回動自在に設けられている。止音レール１５には、ストッパ１５ａが設けられ、ストッパ１５ａには、弾性を有するクッション１５ｂが設けられている。また、止音レール１５は、演奏モードを切り替えるための、棚板の下面に設けられた操作レバー（いずれも図示省略）に、ワイヤなどを介して連結されている。そして、止音レール１５は、この操作レバーを操作することによって、ストッパ１５ａがハンマーシャンク５ａの回動範囲に進入する進入位置（図１および図２の実線位置）と、ハンマーシャンク５ａの回動範囲から退避する退避位置（２点鎖線位置）に移動する。
【００２８】
次に、ハンマーシャンクフレンジ１を移動させる駆動装置３０について説明する。図３に示すように、この駆動装置３０は、左右方向に延びるシャンクレール２と、シャンクレール２を載置するガイドレール３と、シャンクレール２を駆動するための駆動レール３３などで構成されている。前述したように、シャンクレール２の上面には、すべてのハンマーシャンクフレンジ１（１つのみ図示）が固定され、左右方向に並んだ状態で保持されている。ガイドレール３の上面は、後ろ上がりに傾斜したスライド面３４になっており、このスライド面３４に、シャンクレール２がスライド自在に載置されている。
【００２９】
駆動レール３３は、左右方向に延びており、ガイドレール３のスライド面３４に左右方向にスライド自在に載置され、シャンクレール２の前側に設けられている。また、駆動レール３３は、左右一対の連結リンク３６、３６を介して、シャンクレール２に連結されている。シャンクレール２の左右両側には、シャンクレール２の左右方向への移動を規制するための規制部材３８、３８が設けられている。また、駆動レール３３の前側には、駆動レール３３の前方への移動を規制するための規制部材３９が設けられている。レバー３５は、軸３７に回動自在に取り付けられており、その一端部が駆動レール３３の左側端部に当接しているとともに、他端部が前述したレバー３５にワイヤなどを介して連結されている。
【００３０】
以上の構成により、操作レバーを操作すると、レバー３５が反時計方向（矢印方向）に回動し、駆動レール３３は、レバー３５で押圧されることにより、右方にスライドする。一方、シャンクレール２の左右方向への移動が規制部材３８で規制されているため、駆動レール３３の右方への移動に伴い、連結リンク３６、３６は、反時計方向に回動し、シャンクレール２を後方に押圧する。それにより、シャンクレール２は、スライドレール３のスライド面３４に沿って、通常演奏位置（２点鎖線位置）から消音演奏位置（実線位置）まで、上方かつ後方に斜めにスライドする。それに伴い、シャンクレール２に保持されたすべてのハンマーシャンクフレンジ１もまた、上方かつ後方に斜めに移動する。
【００３１】
次に、上述した構成のピアノ２０の動作を説明する。通常演奏モードで演奏を行う場合には、操作レバーを操作することにより、同図に２点鎖線で示すように、止音レール１５を退避位置に位置させるとともに、ハンマーシャンクフレンジ１を通常演奏位置に位置させる。図１に示す離鍵状態では、ハンマーシャンク５ａは、シャンクローラ５ｃを介してレペティションレバー８に載置されており、後ろ下がりに傾斜している。
【００３２】
この離鍵状態から、鍵１４が押鍵されると、ウイッペン２１が上方に回動するとともに、これに取り付けられたレペティションレバー８やジャック１０がウイッペン２１と一緒に上方に移動する。その後、レペティションレバー８がレバースキン１３を介してドロップスクリュー１２に当接し、上方への移動が規制されることによって、ジャック１０の突き上げ部１０ａが、シャンクローラ５ｃを介してハンマー５を突き上げる。その後、ジャック１０の当接部１０ｂが、レギュレーティングボタン４に当接し、ジャック１０の上方への移動が規制されることによって、ジャック１０が、ウイッペン２１に対して時計方向に回動し、シャンクローラ５ｃから離脱する。このときのハンマーヘッド５ｂの位置は、図２に２点鎖線で示され、弦Ｓとの距離はＬ１で示される。その後、ハンマー５は慣性で回動する。また、止音レール１５は退避位置に位置しているので、ハンマーシャンク５ａは止音レール１５に当接しない。それにより、ハンマー５の回動が許容され、ハンマーヘッド５ｂで弦Ｓを打弦することによって、アコースティックな通常演奏が行われる。
【００３３】
一方、消音演奏モードで演奏を行う場合には、操作レバーを操作することによって、止音レール１５をハンマーシャンク５ａの進入位置に位置させるとともに、ハンマーシャンクフレンジ１を斜め上方かつ後方の消音演奏位置に位置させることによって、離鍵状態におけるハンマーヘッド５ｂの高さを通常演奏モード時よりも低くする。この状態で、鍵１４が押鍵されると、アクション７が通常演奏モードと同様に動作し、ジャック１０が、シャンクローラ５ｃを介してハンマー５を突き上げ、回動させるとともに、その回動の途中でシャンクローラ５ｃから離脱する。このときのハンマーヘッド５ｂの位置は、図２に実線で示されており、離鍵状態におけるハンマーヘッド５ｂの位置が低くなっていることで、ハンマーヘッド５ｂと弦Ｓとの距離Ｌ２は、通常演奏モード時の距離Ｌ１よりも大きくなる。その後、回動するハンマー５のハンマーシャンク５ａが進入位置に位置する止音レール１５に当接することで、ハンマー５の回動が阻止され、ハンマーヘッド５ｂによる弦Ｓの打弦が阻止され、消音演奏が行われる。
【００３４】
以下、上述したハンマーシャンクフレンジ１の位置とハンマーヘッド５ｂの高さとの関係について、図４を参照しながら詳細に説明する。同図に示すように、離鍵状態において、ハンマーシャンクフレンジ１が通常演奏位置に位置するときのハンマーシャンクフレンジ１の回動中心の位置をＰ１１Ｎ、シャンクローラ５ｃの位置をＰ５ｃＮ、ハンマーシャンク５ａの位置をＰ５ａＮとする。この状態から、ハンマーシャンクフレンジ１を上方に移動させた場合には、それと同じ移動量で、ハンマーシャンク５ａの回動中心が上方に移動する（Ｐ１１Ｕ）。これに伴い、シャンクローラ５ｃは、後ろ下がりに傾斜したレペティションレバー８に沿って上方かつ前方に斜めに移動する（Ｐ５ｃＵ）。それにより、ハンマーシャンク５ａは位置Ｐ５ａＵに移動し、その傾斜角度は、移動前よりも大きくなる。その結果、ハンマーシャンク５ａの後端部に設けられたハンマーヘッド５ｂの位置が低くなる。
【００３５】
また、ハンマーシャンクフレンジ１を通常演奏位置から後方に移動させた場合には、それと同じ移動量で、ハンマーシャンク５ａの回動中心が後方に移動する（Ｐ１１Ｒ）。これに伴い、シャンクローラ５ｃは、後ろ下がりに傾斜したレペティションレバー８に沿って下方かつ後方に斜めに移動する（Ｐ５ｃＲ）。それにより、ハンマーシャンク５ａは位置Ｐ５ａＲに移動し、その傾斜角度は、移動前よりも大きくなる。その結果、ハンマーシャンク５ａの後端部に設けられたハンマーヘッド５ｂの位置が低くなる。
【００３６】
ハンマーシャンクフレンジ１を斜め上方かつ後方に移動させた場合には、上述したハンマーシャンクフレンジ１を上方に移動させたときのハンマーシャンク５ａの傾斜角度の増大作用と、ハンマーシャンクフレンジ１を後方に移動させたときのハンマーシャンク５ａの傾斜角度の増大作用が、同時に複合的に得られるので、ハンマーシャンクフレンジ１の小さな移動量で、ハンマーヘッド５ｂの位置を効果的に大きく下げることができる。
【００３７】
前述したように、本実施形態では、消音演奏モード時に、駆動装置３０のシャンクレール２をガイドレール３のスライド面３４に沿ってスライドさせることにより、ハンマーシャンクフレンジ１を斜め上方かつ後方に移動させるので、ハンマーシャンク５ａの傾斜角度が大きくなり、離鍵状態におけるハンマーヘッド５ｂの初期位置の高さを低くすることができる。それにより、前述したように、ジャック１０の離脱時におけるハンマーヘッド５ｂと弦Ｓとの間の距離Ｌ２は、通常演奏モード時の距離Ｌ１よりも拡大する。したがって、ジャック１０が離脱してからハンマーヘッド５ｂが弦Ｓを打弦するまでのハンマーシャンク５ａのストロークが大きくなるため、止音レール１５による止音を、余裕をもって確実に行うことができる。また、上記のように、ハンマーヘッド５ｂの高さを低くしても、ジャック１０とシャンクローラ５ｃなどとの位置関係はほとんど変わらないので、ジャック１０がハンマー５から離脱するタイミングは、通常演奏モード時と同じであり、したがって、鍵１４のタッチ感はほとんど変わらない。
【００３８】
次に、図５を参照しながら、第２実施形態を説明する。この第２実施形態は、駆動装置３０に代えて駆動装置３１を用いたものである。この駆動装置３１は、図３との比較から明らかなように、駆動装置３０と比較して一部の構成が異なるので、同じ構成要素に同じ符号を付するとともに、異なる構成を中心として説明するものとする。シャンクレール２の前側には、第１実施形態の駆動レール３３および規制部材３９に代えて、左右方向に延びる不動のベース板３２が設けられており、第１実施形態の規制部材３８、３８は省略されている。 レバー３５は、軸３７に回動自在に取り付けられるとともに、その一端部が、シャンクレール２の端部（同図の左端部）に当接している。ベース板３２とシャンクレール２の上面間は、一対の連結リンク３６、３６を介して互いに連結されている。これらの連結リンク３６は、ベース板３２からシャンクレール２に向かうにつれて、レバー３５側に近づくように傾斜している。他の構成は、第１実施形態の駆動装置３０と同じである。
【００３９】
以上の構成により、操作レバーを操作し、レバー３５を図５の反時計方向（矢印方向）に回すと、レバー３５によって、シャンクレール２が右方に押圧される。これに伴い、連結リンク３６、３６が時計方向に回動する。それにより、シャンクレール２は、若干右方に移動しながら、第１実施形態と同様、ガイドレール３のガイド面３４に沿って後方にスライド（２点鎖線位置から実線位置）し、このシャンクレール２のスライドに伴い、シャンクレール２に保持されたすべてのハンマーシャンクフレンジ１もまた、同様に移動する。
【００４０】
したがって、本実施形態では、消音演奏モード時に、レバー３５を反時計方向（矢印方向）に回すことにより、第１実施形態と同様、ハンマーシャンクフレンジ１を上方かつ後方に斜めに移動させ、離鍵状態におけるハンマーシャンク５ａの傾斜角度を大きくすることによって、ジャック１０の離脱時におけるハンマーヘッド５ｂと弦Ｓとの間の距離を拡大することができる。
【００４１】
次に、図６〜図８を参照しながら、第３〜第５実施形態を説明する。これらの実施形態は、第１実施形態による駆動装置３０に代えて、図６〜図８に示す駆動装置４０、４１、４２をそれぞれ用いたものである。第１および第２実施形態では、シャンクレール２がスライドするのに対し、これらの第３〜第５実施形態では、シャンクレール４５が回動するように構成されている。また、これらの駆動装置４０、４１、４２は、駆動装置３０と比較して一部の構成が異なるので、同じ構成要素に同じ符号を付するとともに、異なる構成を中心として説明するものとする。
【００４２】
図６に示す第３実施形態による駆動装置４０は、左右方向に延びるシャンクレール４５と、シャンクレール４５を載置するベースレール４４と、シャンクレール４５を駆動するためのレバー４６と、シャンクレール４５とベースレール４４の間に設けられたばね４７などを備えている。
【００４３】
ベースレール４４は、複数のブラケット６に載置され、これらの間に掛け渡されている。ベースレール４４の上面の中央には、後ろ下がりに傾斜する凹部４４ｂが形成され、ベースレール４４の上面の前端部には、フランジ４４ａがねじ止めされている。このフランジ４４ａは、ベースレール４４へのねじ止め部分の後端から上方に延びるとともに、上端の角部から前方に延びている。
【００４４】
シャンクレール４５は、左右方向に延びており、前後方向に延びる載置部４５ａと、その前端から上方にフランジ４４ａの角部付近まで延びる取り付け部４５ｂと、前端部から下方かつ斜め後方に延びるばね受け部４５ｃなどで構成されている。このシャンクレール４５は、載置部４５ａがベースレール４４の後部に載置された状態で、取付け部４５ｂの上端部において、軸３７を介して回動自在に取り付けられている。このシャンクレール４５の載置部４５ａには、すべてのハンマーシャンクフレンジ１が左右方向に並んだ状態で載置され、ねじ４３で固定・保持されている。レバー４６は、シャンクレール４５に一体に設けられるとともに、操作レバーに連結されている。
【００４５】
また、ばね４７は、ベースレール４４の凹部４４ｂに収容されており、その一端部が凹部４４ｂの底面４９に係合し、他端部がシャンクレール４５のばね受け部４５ｃに係合している。
【００４６】
以上の構成により、シャンクレール４５は、載置部４５ａがベースレール４４に載置されている通常演奏位置と、ハンマーシャンクフレンジ１がフランジ４４ａに当接している消音演奏位置との間で回動自在である。また、図６（ｂ）に示すように、シャンクレール４５およびばね４７は、シャンクレール４５が通常演奏位置（２点鎖線）と消音演奏位置（実線位置）との間で移動する際に、死点を横切るように配置されている。したがって、この死点を境としてばねの付勢の方向（矢印Ａ１、Ａ２）が切り替わることにより、シャンクレール４５は、ばね４７の付勢力によって、通常演奏位置と消音演奏位置に安定して保持される。
【００４７】
したがって、本実施形態では、消音演奏モード時に、操作レバーを操作し、レバー４６をばね４７の付勢力に抗して、図６の時計方向（矢印方向）に回すと、それと一体のシャンクレール４５が斜め上方かつ後方に回動し、シャンクレール４５に保持されたハンマーシャンクフレンジ１も同様に移動する。これにより、第１実施形態と同様、ハンマーシャンク５ａの傾斜角度が大きくなることによって、ジャック１０の離脱時におけるハンマーヘッド５ｂと弦Ｓとの間の距離を拡大することができる。
【００４８】
図７に示す第４実施施形態による駆動装置４１は、左右方向に延びるシャンクレール４５と、シャンクレール４５を駆動するためのレバー４６などを備えている。
【００４９】
ブラケット６の前面の上端部には、フランジ６ａがねじ止めされており、また、ブラケット６のフランジ６ａよりの後ろ側の部分には、前後方向に延びる平坦な支持面６ｂが形成されている。このフランジ６ａは、ねじ止め部分から上方に延びるとともに、その上端から後方に延びている。シャンクレール４５は、前後方向に延び、支持面６ｂに載置される載置部４５ａと、その前端から上方にフランジ６ａの角部付近まで延びるとともに、上端からさらに前方に延びる当接部４５ｄと、載置部４５ａの後端から、斜め下方かつ後方に延びるアーム部４５ｅなどで構成されている。このシャンクレール４５は、アーム部４５ｅの後端部において、軸３７に回動自在に取り付けられている。また、このシャンクレール４５の載置部４５ａには、すべてのハンマーシャンクフレンジ１が、左右方向に並んだ状態で載置され、ねじ４３で固定、保持されている。レバー４６は、シャンクレール４５に一体に設けられるとともに、操作レバーに連結されている。
【００５０】
以上の構成により、消音演奏モード時に、操作レバーを操作し、レバー４６を反時計方向に回すと、それと一体のシャンクレール４５は、その載置部４５ａがブラケット６の支持部６ｂに載置された通常演奏位置（２点鎖線）から、シャンクレール４５の当接部４５ｄがフランジ６ａに当接する消音演奏位置（実線位置）まで、軸３７を中心として斜め上方かつ後方に回動する。これに伴って、シャンクレール４５に保持されたハンマーシャンクフレンジ１も同様に移動する。これにより、第３実施形態と同様、ハンマーシャンク５ａの傾斜角度が大きくなることによって、ジャック１０の離脱時におけるハンマーヘッド５ｂと弦Ｓとの間の距離を拡大することができる。
【００５１】
図８に示す第５実施形態における駆動装置４２は、左右方向に延びるシャンクレール４５と、軸３７ａに設けられた楕円形状のカム４８と、カム４８を駆動するレバー４６と、ばね４７などを備えている。
【００５２】
シャンクレール４５およびフランジ６ａは、第４実施形態と基本的に同じに構成され、フランジ６に取り付けられている。カム４８は、ブラケット６の支持面６ｂの前端部に形成されたカム収容凹部６ｄに収容されており、シャンクレール４５の当接部４５ｄの下面に当接している。また、カム４８は軸３７ａに固定され、軸３７ａはレバー４６に固定されており、レバー４６はワイヤを介して操作レバーに連結されている。ばね４７は、ブラケット６のばね取り付け面６ｃと、シャンクレール４５に設けられた突起４５ｆとの間に配置されており、シャンクレール４５を時計方向に付勢している。
【００５３】
以上の構成により、消音演奏モード時に、操作レバーを操作し、レバー４６をばね４７の付勢力に抗して反時計方向に回すと、カム４８が回動し、実線で示す起立した状態になることで、シャンクレール４５を持ち上げる。それにより、シャンクレール４５は、その載置部４５ａがブラケット６の支持部６ｂに載置される通常演奏位置（２点鎖線）から、シャンクレール４５の当接部４５ｄがフランジ６ａに当接する消音演奏位置（実線位置）まで軸３７を中心として、斜め上方かつ後方に回動する。これにより、第３および第４実施形態と同様、ハンマーシャンク５ａの傾斜角度が大きくなることによって、ジャック１０の離脱時におけるハンマーヘッド５ｂと弦Ｓとの間の距離を拡大することができる。
【００５４】
以上のように、消音演奏モード時には、第１および第２実施形態では、駆動装置３０、３１でシャンクレール２をスライドさせることによって、また、第３〜第５実施形態では、駆動装置４０〜４２でシャンクレール４５を回動させることによって、ハンマーシャンクフレンジ１を斜め上方かつ後方に移動させる。それにより、ハンマーシャンク５ａの傾斜角度が大きくなり、離鍵状態におけるハンマーヘッド５ｂの初期位置の高さが低くなるので、これにより、ジャック１０の離脱時におけるハンマーヘッド５ｂと弦Ｓとの間の距離が、通常演奏モード時よりも拡大する。したがって、ジャック１０が離脱してからハンマーヘッド５ｂが弦Ｓを打弦するまでのハンマーシャンク５ａのストロークが大きくなるため、止音レール１５による止音を、余裕をもって確実に行うことができる。
【００５５】
さらに、ハンマーシャンクフレンジ１を上方かつ後方に同時に移動させるので、ハンマーシャンクフレンジ１の小さな移動量で、ハンマーヘッド５ｂの位置を効果的に大きく下げることができる。
【００５６】
また、すべてのハンマーシャンクフレンジ１を保持するシャンクレール２または４５を移動させることによって、すべてのハンマーシャンクフレンジ１を一度に移動させるので、ハンマーシャンクフレンジ１の移動を、ばらつきなく効果的に行えるとともに、駆動装置を単純化することができる。
【００５７】
また、上記のようにハンマーシャンクフレンジ１を移動させても、ジャック１０の当接部１０ｂの先端部とレギュレーティングボタン４との間隔は、変わらないので、シャンクローラ５ｃがジャック１０から離脱するタイミングは、消音モード時であっても、通常演奏モード時であっても、同じである。したがって、消音演奏モード時に、通常演奏モード時と変わらない鍵のタッチ感を得ることができる。
【００５８】
なお、本発明は、説明した実施形態に限定されることなく、種々の態様で実施できる。例えば、実施形態では、消音演奏モード時に、ハンマーシャンクフレンジ１を斜め上方かつ後方に移動させているが、離鍵状態におけるハンマーヘッド５ｂの高さが低くなる限り、ハンマーシャンクフレンジ１の移動方向は任意である。また、ハンマーシャンクフレンジ１を移動させる駆動装置の構成についても、実施形態で示した以外の任意の構成を採用することが可能である。
【図面の簡単な説明】
【００５９】
【図１】本発明のグランド型ピアノの鍵盤装置を離鍵状態で示す側面図である。
【図２】図１の鍵盤装置を押鍵状態で示す側面図である。
【図３】第１実施形態による駆動装置を示し、（ａ）は側面図、（ｂ）は平面図である。
【図４】ハンマーシャンクの回動中心とシャンクローラの位置との関係を説明する説明図である。
【図５】第２実施形態による駆動装置を示す側面図である。
【図６】第３実施形態による駆動装置を示し、（ａ）は側面図、（ｂ）はその一部を説明する説明図である。
【図７】第４実施形態による駆動装置を示す側面図である。
【図８】第５実施形態による駆動装置を示す側面図である。
【符号の説明】
【００６０】
１  ハンマーシャンクフレンジ
２、４５  シャンクレール（レール）
３  ガイドレール（ガイド部材）
５  ハンマー
５ａ  ハンマーシャンク
５ｂ  ハンマーヘッド
５ｃ  シャンクローラ
６  ブラケット（固定部材）
６ａ  フランジ（固定部材）
８  レペティションレバー
１０  ジャック
１４  鍵
１５  止音レール
２０  ピアノ
３０、３１、４０、４１、４２  駆動装置  
３３  駆動レール
３４  スライド面
３５、４６  レバー（駆動部材）
３６  連結リンク（押圧部材）
４４  ベースレール
４８  カム（駆動部材）
Ｓ  弦
【図１】
2009237152.tif 000003
【図２】
2009237152.tif 000004
【図３】
2009237152.tif 000005
【図４】
2009237152.tif 000006
【図５】
2009237152.tif 000007
【図６】
2009237152.tif 000008
【図７】
2009237152.tif 000009
【図８】
2009237152.tif 000010